(57)【要約】【課題】  地上波ディジタル放送について番組内容が把握しやすい番組表を短時間に編成することができるテレビジョン受像機、番組表提示プログラムおよび番組表提示方法を提供する。【解決手段】  制御信号Ｓ１が番組表表示のトリガとして入力されると、制御部１１は、地上波ディジタル放送の各チャンネルを逐次選局し、番組情報と画像および音声とを並行して取得するように各部を制御する。ビデオ処理部６によって、画像情報をサムネイル画像として番組情報と組み合わせ、所定の形式の番組表を構成する。この番組表を表示部２０によって表示すると共に、サムネイル画像と同期して取得したサムネイル音声をスピーカ３０から出力する。地上波ディジタル放送においても、放送中の番組のほぼ実況を伝え得る番組表が提示される。【選択図】        図１
2005101859.tif 000002
【特許請求の範囲】
【請求項１】
地上波ディジタル放送の放送波を受信する受信手段と、
前記受信手段が受信した放送波の画像音声情報を基に、番組内容を画像音声形式で表現してなる見出し情報をチャンネルごとに生成する見出し生成手段と、
前記受信手段が受信した放送波から、放送番組に関する番組情報をチャンネルごとに取得する番組情報取得手段と、
前記見出し生成手段が生成した見出し情報と前記番組情報取得手段が取得した番組情報とに基づいて、番組表を作成する番組表作成手段と、
前記受信手段が受信した放送番組の画像音声を視聴可能な態様で出力すると共に、番組表の提示を求める番組表提示要求に応じて、前記番組表を提示する提示手段と
を備えたことを特徴とするテレビジョン受像機。
【請求項２】
前記番組情報取得手段は、前記見出し生成手段による現在放送中の番組に関する見出し情報の生成と並行して、その放送中の番組に関する番組情報を取得する
ことを特徴とする請求項１に記載のテレビジョン受像機。
【請求項３】
前記番組情報取得手段は、さらに、次番組以降の番組に関する番組情報をも取得する
ことを特徴とする請求項２に記載のテレビジョン受像機。
【請求項４】
前記番組情報取得手段は、次番組以降の番組に関する番組情報の取得を、現在放送中の番組に関する番組情報の取得と並行して実行する
ことを特徴とする請求項３に記載のテレビジョン受像機。
【請求項５】
前記番組情報取得手段は、番組情報の取得を求める番組情報取得要求に応じて、番組情報の取得を行う
ことを特徴とする請求項１に記載のテレビジョン受像機。
【請求項６】
前記番組情報取得要求は、予め専用に設けられた操作部に対する操作をトリガとして与えられる
ことを特徴とする請求項５に記載のテレビジョン受像機。
【請求項７】
前記番組情報取得要求は、前記番組表の提示開始または提示終了をトリガとして与えられる
ことを特徴とする請求項５に記載のテレビジョン受像機。
【請求項８】
前記番組情報取得要求は、このテレビジョン受像機に対する電源供給開始をトリガとして与えられる
ことを特徴とする請求項５に記載のテレビジョン受像機。
【請求項９】
さらに、地上波ディジタル放送の放送波を受信する第２の受信手段を備え、
前記番組情報取得手段は、前記受信手段による放送番組の受信と並行して、前記第２の受信手段を利用して番組情報を取得する
ことを特徴とする請求項１に記載のテレビジョン受像機。
【請求項１０】
地上波ディジタル放送の放送波を受信する受信手段を備えたテレビジョン受像機に適用されるコンピュータ読み取り可能なプログラムであって、
前記受信手段が受信した放送波の画像音声情報を基に、番組内容を画像音声形式で表現してなる見出し情報をチャンネルごとに生成するステップと、
前記受信手段が受信した放送波から、放送番組に関する番組情報をチャンネルごとに取得するステップと、
前記見出し生成手段が生成した見出し情報と前記番組情報取得手段が取得した番組情報とに基づいて、番組表を作成するステップと、
前記受信手段が受信した放送番組の画像音声を視聴可能な態様で出力すると共に、番組表の提示を求める番組表提示要求に応じて、前記番組表を提示するステップと
をコンピュータに実行させることを特徴とする番組表提示プログラム。
【請求項１１】
地上波ディジタル放送の放送波を受信する受信手段を備えたテレビジョン受像機に適用される方法であって、
前記受信手段が受信した放送波の画像音声情報を基に、番組内容を画像音声形式で表現してなる見出し情報をチャンネルごとに生成するステップと、
前記受信手段が受信した放送波から、放送番組に関する番組情報をチャンネルごとに取得するステップと、
前記見出し生成手段が生成した見出し情報と前記番組情報取得手段が取得した番組情報とに基づいて、番組表を作成するステップと、
前記受信手段が受信した放送番組の画像音声を視聴可能な態様で出力すると共に、番組表の提示を求める番組表提示要求に応じて、前記番組表を提示するステップと
を含むことを特徴とする番組表提示方法。
【発明の詳細な説明】
【技術分野】
【０００１】
本発明は、地上波ディジタル放送を受信する機能を備えたテレビジョン受像機、ならびに、そのようなテレビジョン受像機に適用される番組表提示プログラムおよび番組表提示方法に関する。
【背景技術】
【０００２】
現在、ディジタル放送は、ＢＳ（Broadcasting Satellite）やＣＳ（Communication Satellite）、ＣＡＴＶ（ケーブルテレビ）において実施されている。ディジタル放送は、 ディジタル信号をＭＰＥＧ（Moving Picture Experts Group）方式の圧縮符号化技術により、旧来のアナログ放送に比べて数倍の情報を送信できる。そのため、チャンネル数もアナログ放送とは比較にならないほど多く、受信者にとっては、多種多様なコンテンツを享受することが可能となっている。さらに、今年度（２００３年）からは、地上波ディジタル放送が開始されることになっており、これまでの地上波アナログ放送が地上波ディジタル放送へと切り替わることが予定されている。この地上波ディジタル放送では、一般の視聴者にとっても、視聴可能なチャンネル数が５０〜６０以上になると予想される。
【０００３】
このような多チャンネル化に対し、視聴者が快適かつ容易に番組選択を行うための技術が提案されている。その基本となるのが、ＥＰＧ（Electrical Program Guide：電子番組ガイド）である。ＥＰＧは、テレビの画面に番組表を表示するシステムであり、放送波と多重化させて番組表データを送出し、専用端末もしくは受信機能をもつテレビジョン受像機にて受信するようになっている。
【０００４】
衛星放送の場合、番組関連情報は全編成チャンネルで共有されている。つまり、どれか１つのチャンネルを視聴していれば、放送信号の間に数秒間隔で重畳された番組情報が自動的に受信される。こうした番組情報は、多チャンネル化に伴って放送局が視聴における利便を支援するために提供されるもので、番組配列情報（Service Information：ＳＩ）と呼ばれる。以下、これを単に番組情報ＳＩと呼ぶことにする。
【０００５】
このような番組情報ＳＩを１回受信することによって、１週間分の番組表や番組内容等の文字情報、その番組の代表的なシーンの静止画または動画による画像情報等を取得することができる。下記の特許文献１には、こうして取得した番組情報を利用して、ＢＳ，ＣＳ放送についての番組表を表示すると同時に、表示した番組表からユーザが指定した番組や今後放送予定の番組については、受信したＳＩに含まれていた画像情報も表示するという技術が開示されている。
【特許文献１】特開平９−２４７５６５号公報
【発明の開示】
【発明が解決しようとする課題】
【０００６】
しかしながら、特許文献１に記載の技術は、従来のディジタル放送に適用されるものであり、今後開始される地上波ディジタル放送に単純に応用できるようにはなっていなかった。なぜなら、地上波ディジタル放送の場合は、各放送事業者が運用可能な帯域内でのみ番組情報ＳＩを伝送するようになっており、ＢＳ／ＣＳディジタル放送のようにどの搬送波にも全編成チャンネル分の番組情報ＳＩを送出するようになっていない。したがって、個々のチャンネルの番組情報を取得するには、ユーザがわざわざチャンネルを１つ１つ選局して、画像音声と共に搬送波に重畳されてくる番組情報を受信しなければならない。
【０００７】
したがって、ＢＳ／ＣＳディジタル放送に適用される従来の番組表作成手法に基づいて、全局について一週間分の番組表を作成しようとすれば、分単位の所要時間が必要であるという問題があり、番組表をすばやく簡単に表示できるというわけにいかなかった。また、すべてのチャンネルについて番組情報ＳＩを取得するためには、ユーザが選局を順次切り換える必要があることから、ユーザの負担が大きい。しかも、その間、ユーザは、本来視聴したい番組の視聴を中断しなければならなくなることが予想される。こうした事情から、地上波ディジタル放送に対応した番組表の作成については、さらなる工夫が必要と考えられる。
【０００８】
本発明はかかる問題に鑑みてなされたもので、その目的は、地上波ディジタル放送においても、ユーザに負担をかけることなく、番組内容の把握しやすい形の番組表を効率よく編成し提示することができるテレビジョン受像機、番組表提示プログラムおよび番組表提示方法を提供することにある。
【課題を解決するための手段】
【０００９】
本発明のテレビジョン受像機は、地上波ディジタル放送の放送波を受信する受信手段と、受信手段が受信した放送波の画像音声情報を基に番組内容を画像音声形式で表現してなる見出し情報をチャンネルごとに生成する見出し生成手段と、受信手段が受信した放送波から放送番組に関する番組情報をチャンネルごとに取得する番組情報取得手段と、見出し生成手段が生成した見出し情報と番組情報取得手段が取得した番組情報とに基づいて番組表を作成する番組表作成手段と、受信手段が受信した放送番組の画像音声を視聴可能な態様で出力すると共に番組表の提示を求める番組表提示要求に応じて番組表を提示する提示手段とを備えたものである。このテレビジョン受像機において、番組情報取得手段は、見出し生成手段による現在放送中の番組に関する見出し情報の生成と並行して、その放送中の番組に関する番組情報を取得するようにするのが好ましい。番組情報取得手段は、さらに、次番組以降の番組に関する番組情報をも取得するようにするのが好ましい。この場合、番組情報取得手段は、次番組以降の番組に関する番組情報の取得を、現在放送中の番組に関する番組情報の取得と並行して実行するようにするのが好ましい。
【００１０】
本発明の番組表提示プログラムは、地上波ディジタル放送の放送波を受信する受信手段を備えたテレビジョン受像機に適用されるコンピュータ読み取り可能なプログラムであって、受信手段が受信した放送波の画像音声情報を基に番組内容を画像音声形式で表現してなる見出し情報をチャンネルごとに生成するステップと、受信手段が受信した放送波から放送番組に関する番組情報をチャンネルごとに取得するステップと、見出し生成手段が生成した見出し情報と番組情報取得手段が取得した番組情報とに基づいて番組表を作成するステップと、受信手段が受信した放送番組の画像音声を視聴可能な態様で出力すると共に番組表の提示を求める番組表提示要求に応じて番組表を提示するステップとをコンピュータに実行させるようにしたものである。
【００１１】
本発明の番組表提示方法は、地上波ディジタル放送の放送波を受信する受信手段を備えたテレビジョン受像機に適用される方法であって、受信手段が受信した放送波の画像音声情報を基に番組内容を画像音声形式で表現してなる見出し情報をチャンネルごとに生成するステップと、受信手段が受信した放送波から放送番組に関する番組情報をチャンネルごとに取得するステップと、見出し生成手段が生成した見出し情報と番組情報取得手段が取得した番組情報とに基づいて番組表を作成するステップと、受信手段が受信した放送番組の画像音声を視聴可能な態様で出力すると共に番組表の提示を求める番組表提示要求に応じて、番組表を提示するステップとを含むようにしたものである。
【００１２】
本発明のテレビジョン受像機、番組表提示プログラムおよび番組表提示方法では、受信した放送波の画像音声情報を基にチャンネルごとに画像音声の見出し情報が生成されると共に、その放送波からチャンネルごとに番組情報が取得される。そして、生成された見出し情報と取得された番組情報とに基づいて、番組表が作成され、番組表提示要求に応じて提示される。
【００１３】
番組情報は、例えばあらかじめ設定されたトリガをきっかけとし、ユーザが視聴していない時間帯を利用して取得したり、画面上に番組表を開いたときに取得することができる。
【００１４】
なお、本発明における「番組情報」とは、番組に関連する情報を指し、例えば、番組名、番組を放送する放送局名、番組のジャンル、チャンネル、放送時間帯、番組の概要を表す文字情報等が含まれる。「画像音声情報」とは、画像もしくは音声、または画像および音声の両方を含む情報を意味し、「画像音声形式」とは、画像もしくは音声、または画像および音声の両方を用いて表現する態様をいう。「見出し情報」とは、番組内容を、文字ではなく画像および音声の少なくとも一方を用いて表したサムネイル情報である。「並行して」とは、物理的に完全に同時である必要はなく、両者の少なくとも一部同士が同時進行していれば足りる趣旨である。
【発明の効果】
【００１５】
本発明のテレビジョン受像機、番組表提示プログラムおよび番組表提示方法によれば、地上波ディジタル放送においても、画像音声形式の見出し情報を含む番組表を自動的に作成し、文字による番組情報と同時に放送中の映像および音声を提示することができる。このため、地上波ディジタル放送においても、他のＢＳ／ＣＳディジタル放送の場合と同様に、ユーザに意識させることなく、わかりやすい態様の番組表を効率よく作成し、ユーザに提供することができる。
【発明を実施するための最良の形態】
【００１６】
以下、本発明の実施の形態について、図面を参照して詳細に説明する。
【００１７】
図１は、本発明の一実施の形態に係るテレビジョン受像機の要部を表すものである。このテレビジョン受像機は、地上波ディジタル放送の視聴を可能にする構成を有するものであるが、実際には、地上波ディジタル放送以外にＢＳ放送やＣＳ放送の視聴も可能な構成となっている。但し、ここでは、地上波ディジタル放送波の受信系統のみを表し、他の放送波の受信系統の図示は省略する。なお、本発明の一実施の形態に係る番組表提示方法および番組表提示プログラムは、本実施の形態に係るテレビジョン受像機によって具現化されるので、以下、併せて説明する。
【００１８】
このテレビジョン受像機は、映像を表示するための表示部２０と、音声を出力するためのスピーカ３０と、放送波の受信や信号処理等を行う受信ブロック４０とを備えている。
表示部２０は、ＣＲＴ（陰極線管）やＬＣＤ（液晶ディスプレイ）等の表示素子を用いて構成され、現在放送中の番組の画像を出力するほか、後述する番組表ＰＧ（図２）を表示する機能を有する。
【００１９】
受信ブロック４０は、受信アンテナＡＮに接続されたチューナ１と、チューナ１の出力側に接続された分離部２と、分離部２の出力側に接続されたビデオデコーダ３，オーディオデコーダ４およびメモリ５と、ビデオデコーダ３の出力側に接続されたビデオ処理部６とを含んで構成されている。これらの各部についての詳細は後述する。なお、実際には、これらの他に、デ・スクランブラ等の回路を含むが、ここでは省略している。
【００２０】
このテレビジョン受像機はまた、ビデオ処理部６と表示部２０との間に設けられたビデオエンコーダ８と、オーディオデコーダ４とスピーカ３０との間に設けられたディジタルアナログコンバータ（Ｄ／Ａ）９と、ビデオデコーダ３の出力側に接続されたサムネイル画像メモリ７と、オーディオデコーダ４の出力側に接続されたサムネイル音声メモリ１０と、このテレビジョン受像機の全体を制御する制御部１１とを備えている。サムネイル画像メモリ７およびサムネイル音声メモリ１０は、ビデオ処理部６にも接続されている。ここで、表示部２０およびスピーカ３０が本発明における「提示手段」の一具体例に対応する。
【００２１】
受信ブロック４０のチューナ１は、受信アンテナＡＮから供給される放送波のうち、目的の搬送波を選択して復調し、ＭＰＥＧ−２  ＴＳ（Transport Stream ）を得る機能を有する。なお、ＭＰＥＧ−２ ＴＳとは、ＭＰＥＧ−２方式で圧縮されたビデオデータ，オーディオデータおよび番組情報等のコンテンツを１つのトランスポートストリームＴＳにまとめて伝送するための規格である。このトランスポートストリームＴＳは、階層化されたＴＳパケットで構成されると共に、ディジタル変調によって多重化されている。チューナ１は、１つの搬送波から１つのトランスポートストリームＴＳを復元する処理を行うようになっている。なお、ＴＳパケットは、１８８バイトのデータパケットであり、映像，音声，独立データ等を可変長でパケット化してなるパケット化ストリーム（ＰＥＳ；Packetized Elementary Stream）や、番組情報ＳＩをＴＳパケットにマッピングする際に使用されたシンタクス構造であるＳｅｃｔｉｏｎを伝送するようになっている。
【００２２】
分離部２は、いわゆるデ・マルチプレクサ（Demux)と呼ばれるものであり、チューナ１からのトランスポートストリームＴＳを、画像信号ＶＤと、音声信号ＡＤと、番組情報ＳＩとに分離する機能を有する。
【００２３】
ビデオデコーダ３は、分離部２より入力される画像信号ＶＤを伸長し、元のビデオデータに復号するものである。オーディオデコーダ４は、分離部２より入力される音声信号ＡＤを伸長し、元の音声データに復号するものである。メモリ５は、分離部２より入力される番組情報ＳＩを記憶するものである。メモリ５に格納される番組情報ＳＩには、各チャンネルごとに、現在放送中の番組の番組名と、その次の番組の番組名と、それらの番組に関する詳細情報（放送時間帯、放送内容を表す文字情報等）とが含まれる。
【００２４】
サムネイル画像メモリ７は、制御部１１からの指示に応じて、ビデオデコーダ３から出力されるビデオデータを縮小し、これを、見出し情報の一部であるサムネイル画像として保持するようになっている。このサムネイル画像は、所定時間分の（すなわち、所定のフレーム数の）動画像を縮小したものでもよいし、静止画を縮小したものでもよい。
【００２５】
ビデオ処理部６は、ビデオデコーダ３からの入力画像に対して種々の画像処理を行う機能を有するほか、メモリ５に記憶された番組情報ＳＩとサムネイル画像メモリ７に記憶されたサムネイル画像とを基に、見出し画像（サムネイル画像）入りの番組表ＰＧ（図２参照）を作成する機能を有している。この機能を担保するために、ビデオ処理部６は、その内部にビデオメモリ６Ａを有し、ここにビデオデコーダ３からの入力画像を一時的に格納したり、番組表として作成した合成画像を格納するようになっている。
【００２６】
ビデオエンコーダ８は、ビデオ処理部６から出力されるビデオデータを、例えばＮＴＳＣ（National Television System Committee）規格に従ったビデオデータへとエンコードするためのものである。オーディオデコーダ４から出力されるディジタルのオーディオデータをアナログに変換してスピーカ３０に出力するものである。
【００２７】
サムネイル音声メモリ１０は、制御部１１からの指示に応じて、オーディオデコーダ４から出力されるオーディオデータのうち、サムネイル画像メモリ７に格納されるサムネイル画像に対応（同期）する部分のオーディオデータを抽出し、これを、見出し情報の一部であるサムネイル音声として保持するようになっている。
【００２８】
制御部１１は、図示しないＣＰＵ（中央処理装置）と、本実施の形態に係る番組表提示プログラムを格納する不揮発性発メモリ（図示せず）とを備えている。ＣＰＵは、番組表提示プログラムを実行することにより、上記の各部が互いに連携して動作するように統括制御するようになっている。例えば、番組情報ＳＩ、サムネイル画像およびサムネイル音声の取得タイミングの制御や、メモリ５から番組情報ＳＩをビデオ処理部６へ転送させる制御、さらには番組表のサムネイル画像表示と音声出力とを同期させる制御等を行う。ここで、制御部１１は、サムネイル画像メモリ７サムネイル音声メモリ１０と共に、本発明における「見出し生成手段」の一具体例として機能する。制御部１１はまた、メモリ５と共に、本発明における「番組情報取得手段」の一具体例としても機能する。制御部１１はさらに、ビデオ処理部６と共に、本発明における「番組表作成手段」の一具体例としても機能する。
【００２９】
図２は、表示部２０に表示される番組表の一具体例を表すものである。この番組表ＰＧは、受信可能チャンネルごとに、現在放送中の番組名のサムネイル４２と、その次に放送される番組名のサムネイル４３とを配列した構成となっている。さらに、現在放送中の各番組については、放送状況を小さな画面で表すサムネイル画像４１を設け、画像と共に音声出力も行うようになっている。サムネイル画像４１は、静止画であっても動画であってもよい。出力される音声は、サムネイル画像４１が静止画の場合は、画像が取得された前後の所定期間の音声とし、動画の場合は、動画と同期したものとする。どちらの場合も、音声の出力期間（取得期間）は、例えば３秒程度に設定するとよい。なお、この番組名のサムネイル４２，４３のうち、いずれかがユーザによって選択されると、その選択されたサムネイルが示す番組の詳細な説明（放送時間帯、放送内容を表す文字情報等）が、詳細表示領域４４に表示されるようになっている。
【００３０】
ここで、地上波ディジタル放送において、放送波に重畳されて送られてくる番組情報について説明する。
【００３１】
番組情報ＳＩは、多数のテーブルや記述子で構成されており、ネットワーク情報テーブル（ＮＩＴ；Network Information Table ）や、イベント情報テーブル（ＥＩＴ；Event Information Table ）等を含む。ＮＩＴは、周波数等の伝送路情報と編成チャンネルを関連づける情報を伝送するもので、そこには、１つの分配システムに含まれるすべての編成チャンネルＩＤ番号が記載されている。ＥＩＴは、番組名，放送日時，番組内容等の文字情報等からなる。
【００３２】
ＥＩＴには、１秒程度の速いサイクルで送出されるＥＩＴ［ｐ／ｆ］というデータ単位と、３〜６０秒という比較的遅いサイクルで送出されるＥＩＴ［ｓｃｈ］というデータ単位とがある。なお、ＥＩＴ［ｐ／ｆ］は、現在放送中の番組と、その次の番組について最新の詳しい情報とを記述したもので、［ｐ］は現在番組情報を意味し、［ｆ］は次番組情報を意味する。一方、ＥＩＴ［ｓｃｈ］は、１週間程度の期間についての番組情報を記述したものであり、［ｓｃｈ］はスケジュールを意味する。
【００３３】
本実施の形態では、一回の取得期間が短いＥＩＴ［ｐ／ｆ］を利用して番組表（図２）を作成するものとして説明する。但し、本発明はこれに限定されることはなく、例えばユーザが地上波ディジタル放送を視聴していないと判断される時間帯に、ＥＩＴ［ｐ／ｆ］を再取得するようにしたり、あるいはＥＩＴ［ｓｃｈ］を取得するようにしてもよい。
【００３４】
ＢＳディジタル放送やＣＳディジタル放送では、すべてのチャンネルのＥＩＴ［ｐ／ｆ］およびＥＩＴ［ｓｃｈ］がすべての搬送波によって送出されるようになっているため、いずれか１つの搬送波を受信するだけで、自チャンネルのみならず他チャンネルについても最新の番組情報を取得することができる。これに対して、地上波ディジタル放送では、１つの放送番組のみに関する番組情報ＳＩが、その放送番組の搬送波にのみ重畳されて送出されるようになっている。そのため、各チャンネルについて最新の情報を取得するためには、順次選局する必要がある。そこで、本実施の形態では、臨時番組が行われる可能性等も考慮し、最新の詳しい番組情報で構成された番組表（図２）を表示できるようにするために、番組表の表示に先立って、更めて各チャンネルを選局してＥＩＴ［ｐ／ｆ］を取得し直すようにする。あるいは、番組情報の定期的な再取得を行うことも考えられる。
【００３５】
また、本実施の形態では、番組情報を再取得する際に、同時に、各放送波に含まれるチャンネルの画像情報や音声情報を基に、サムネイル画像やサムネイル音声を生成する。そして、これらのサムネイル画像やサムネイル音声を番組表に反映するようにしている。
【００３６】
また、地上波ディジタル放送では、ＢＳディジタル放送やＣＳディジタル放送と同様に、１つの放送波に対し複数のチャンネルが重畳されて送信されている場合が多い。番組情報ＳＩは、受信波に重畳されているすべてのチャンネルについて一度に取得可能であるが、画像情報や音声情報の取得には、各チャンネルに対応するデコーダが必要なので、すべてのチャンネルについて一度に行えるとは限らない。このため、本実施の形態では、画像情報や音声情報については、分離部２において物理的に可能な範囲で逐次的に取得する。この場合に、各チャンネルについてＥＩＴ［ｐ／ｆ］を並行して取得しておくことにより、より多くの番組情報が一度に取得できる。
【００３７】
例えば、画像情報および音声情報を１チャンネルあたり３秒間取得するものとすれば、その間にＥＩＴ［ｐ／ｆ］を取得することは十分可能である。また、番組情報の取得には一定の時間がかかるので、同時に数秒間等の長さで動画を取り込み、サムネイル画像４１として表示する。これにより、番組内容が更にわかりやすくなる。このように、番組表ＰＧを作成するための情報取得期間は、取得する画像情報および音声情報の長さと、番組情報の取得所要時間との兼ね合いで決めることができる。
【００３８】
以上のような、情報取得タイミングの制御や、そのときに取得する番組情報の範囲もしくはデータ量の決定は、すべて制御部１１が行う。例えば、制御部１１は、ユーザの操作に基づいて、番組表の提示を指示する制御信号Ｓ１を受け付けると、番組表ＰＧの作成および提示のための一連の動作制御を開始する。
【００３９】
このように、ＢＳ／ＣＳディジタル放送と地上波ディジタル放送との違いを考慮すると、同様の番組表ＰＧを作成するにしても、地上波ディジタル放送の場合は、いかに効率よく情報を取得しなければならないかがわかる。そのための工夫として、本実施の形態では、ユーザが地上波ディジタル放送を視聴していない時間帯や、画像情報および音声情報の取得期間等の空き時間等を有効に活用し、その間に取得可能な範囲で番組情報を取得するようにする。なお、地上波ディジタル放送を視聴していない時間帯とは、例えば、地上波ディジタル放送以外の放送（例えばＢＳ放送やＣＳ放送）が受信されている期間、テレビジョン受像機の電源がスリープ状態となっている期間、あるいは電源をオフする指令が入力された状態等が該当する。
【００４０】
このようにして取得した番組情報は、一旦メモリ５に格納しておき、番組表ＰＧを作成する際に、メモリ５に蓄積されたデータの中に現時点で番組表ＰＧに適用できるものがあれば、新たな番組情報が取得されるまでの間、この既得の番組情報を代用するようにしてもよい。あるいは、メモリ５に既得の番組情報が存在する場合には、番組情報の再取得を行わず、その既得の番組情報をそのまま用いるようにしてもよい。
【００４１】
なお、画像情報および音声情報の取得期間等の空き時間を利用して番組情報を取得する場合において、番組情報の蓄積量（蓄積された情報の期間）がチャンネル間で異なっているときには、蓄積量の少ないチャンネル（あるいは蓄積のないチャンネル）から優先的に番組情報を取得するのが好ましい。この場合には、以前に取得した番組情報の中に、番組表の作成に使用できる番組情報（具体的には、放送中または放送前の番組についての番組情報）があるか否かを調べ、そのような番組情報があるチャンネルについては番組情報ＳＩの再取得を後回しにし、番組情報ＳＩの蓄積がないチャンネルについての番組情報ＳＩの再取得を優先的に行うようにすればよい。
【００４２】
また、画像情報および音声情報を取得しようとするチャンネルが、同時に取得した番組情報から、イベント共有等により他のチャンネルと同一の画像・音声を放送していると判断される場合には、そのチャンネルにおける画像情報および音声情報の取得をスキップし、それらのチャンネル間で同一の画像情報および音声情報を共用させるようにしてもよい。
【００４３】
なお、本実施の形態では、地上波ディジタル放送のみを対象として説明しているが、実際のテレビジョン受像機では、地上波ディジタル放送の受信ブロックのほかに、ＢＳディジタル放送やＣＳディジタル放送の受信ブロックをも備えていることが多い。この場合、上記したように、ＢＳディジタル放送やＣＳディジタル放送では、すべてのチャンネルのＥＩＴ［ｐ／ｆ］およびＥＩＴ［ｓｃｈ］はすべての搬送波で送出されるため、最新の情報を取得するために地上波ディジタル放送のように順次選局する必要はないが、取得情報を地上波ディジタル放送と同じひとつの番組表ＰＧにあてはめて提示することで、統一したユーザインタフェースを実現することができる。
【００４４】
次に、このテレビジョン受像機における番組表提示に関する動作について、図１〜図３を参照して説明する。
【００４５】
図３は、図１のテレビジョン受像機における番組表提示に係る動作の一例を表すものである。まず、ユーザが、テレビジョン受像機またはリモコン等（図示せず）から、視聴したい番組のチャンネルを入力すると、受像機内では、制御部１の制御に基づいてチューナ１が入力信号に応じたチャンネルを選局し、受信した放送波をトランスポートストリームＴＳに復調する。トランスポートストリームＴＳは、分離部２に送られる。分離部２は、プログラムアソシエーションテーブル（ＰＡＴ；Program Association Table）やプログラムマップテーブル（ＰＭＴ；Program Map Table)を参照することにより、トランスポートストリームＴＳを、画像信号，音声信号および番組情報ＳＩに分離する。なお、ＰＡＴは、ＰＭＴを伝送するＴＳ（Transport Stream）パケットのパケットＩＤを指定するものである。ＰＭＴは、番組を構成する各符号化信号を伝送するＴＳパケットのパケットＩＤおよび有料放送の関連情報のうち共通情報を伝送するＴＳパケットのパケットＩＤを指定するものである。
【００４６】
分離部２で分離された画像信号は、ビデオデコーダ３で伸長されたディジタルデータに復号され、ビデオエンコーダ８によってＮＴＳＣ方式のビデオ信号に変換されて表示部２０に送出され、ここに画像として表示される。一方、分離部２で分離された音声信号は、オーディオデコーダ４にて復号され、Ｄ／Ａコンバータ９によってアナログオーディオ信号に変換され、スピーカ３０から出力される。これにより、テレビ信号の受信と画像音声の出力が行われる（ステップＳ１）。この動作状態は、番組表ＰＧの表示を指令する制御信号Ｓ１が入力するまで持続される（ステップＳ２：Ｎ）。
【００４７】
ユーザが、例えばテレビジョン受像機またはリモコン等（図示せず）に設けられた専用の操作ボタンを操作することにより、番組表ＰＧの表示を指令する制御信号Ｓ１が入力されると（ステップＳ２：Ｙ）、制御部１１は、がなされたと判断し、各部に対して、番組表ＰＧの作成および提示のための制御を開始する。この場合には、番組表提示要求が番組情報取得要求に該当する。
【００４８】
制御部１１はまず、番組情報を取得すべきチャンネルを決定（選択）する（ステップＳ３）。チャンネルの決定は、あらかじめ記憶しておいた受信可能なチャンネルを調べることによって行うようにしてもよいし、あるいは、メモリ５に格納した情報を参照し、再取得が必要なチャンネル（すなわち、これから放送予定の番組についての番組情報が存在していないチャンネル）を調べることによって行うようにしてもよい。なお、受信可能チャンネルは、番組情報ＳＩに含まれているネットワーク情報テーブルＮＩＴ等から予め取得することができる。
【００４９】
次に、制御部１１は、決定されたチャンネルに対して、逐次、選局を行うようにチューナ１を制御する（ステップＳ４）。そして、各チャンネルごとに、現在放送中の番組に関する見出し情報の生成と並行して、その放送中の番組に関する番組情報を取得する。具体的には、受信した各チャンネルのテレビ信号（トランスポートストリームＴＳ）を、分離部２にて画像信号ＶＤ，音声信号ＡＤおよび番組情報ＳＩへと分離する（ステップＳ５）。ここで、１つの放送波に複数のチャンネルが重畳されている場合は、最大可能デコード数の範囲内で動画を並行して分離する。放送波内のすべてのチャンネルについて画像および音声情報の取り込みが完了した時点で、次の放送波の選局を行う。そして、順次、これらの情報取得を行ってゆく。
【００５０】
分離部２にて取り出された画像信号ＶＤは、ビデオデコーダ３を経てデータに復号された後、制御部１１の制御によって縮小され、所定の長さ（例えば数秒間）のサムネイル画像としてサムネイル画像メモリ７に格納される（ステップＳ６）。
【００５１】
一方、分離部２から出力された番組情報ＳＩは、メモリ５に一旦格納されたのち（ステップＳ７）、制御部１１の制御により、番組表ＰＧの作成に必要な部分がメモリ５からビデオ処理部６に転送される（ステップＳ８）。
【００５２】
ビデオ処理部６は、転送されてくる番組情報（ＳＩの部分）と、サムネイル画像メモリ７に格納した画像とを基に、図２のような番組表ＰＧを作成する（ステップＳ９）。作成された番組表ＰＧは、ビデオ処理部６からビデオエンコーダ８を介して表示部２０に送出され、表示される（ステップＳ１０）。ただし、画像のほうが番組情報よりも取得時間がかかる場合には、とりあえず、サムネイル画像４１を含めない状態で番組表ＰＧを作成して表示を開始し、自動的に、もしくはユーザからの何らかの操作指示に応じて、逐次的に番組情報と番組情報に付加する画像を取得して蓄積し、これらを番組表に順次反映させて表示していくようにしてもよい。
【００５３】
また、分離部２から出力された音声データは、音声サムネイルメモリ１０に一旦格納されたのち（ステップＳ１１）、制御部１１からの制御によって、Ｄ／Ａコンバータ９を介してスピーカ３０に出力される（ステップＳ１２）。このとき、制御部１１は、例えば、図２の番組表ＰＧの中から１つの番組のサムネイル画像４１が選択されたとき、その番組の音声を出力するような制御を行う。番組表ＰＧのサムネイル画像４１が動画である場合には、制御部１１はサムネイル画像４１の表示と音声の出力とを同期させるように制御を行う。これにより、ユーザは、現在放送中の番組の実況を把握することができる。なお、あるチャンネルの現在放送中の番組名のサムネイル４２またはサムネイル画像４１が選択されたときには、その番組の音声出力と共に、詳細表示領域４４にその番組に関する文字情報等が表示される。また、あるチャンネルの次放送予定の番組名のサムネイル４３が選択されたときには、詳細表示領域４４にその番組に関する文字情報等が表示される。
【００５４】
なお、上記したように、ＢＳディジタル放送やＣＳディジタル放送については、全編成チャンネル分の最新の情報を常に取得することができるが、このように取得した情報を、地上波ディジタル放送と同じ番組表ＰＧにまとめて提示することもまた可能である。この場合には、テレビジョン受像機は、放送波の種類に応じて異なる取得方法で番組情報を取得しているにも関わらず、ユーザにそのことを気づかせず、通信方式の異なる放送波に対して統一したユーザインタフェースを提供することができる。
【００５５】
このように本実施の形態では、地上波ディジタル放送の各チャンネルについて現在放送中の番組についての映像・音声および番組情報を順次取得するようにしたので、複数チャンネルに対応した画像・音声入りの番組表を提示することができる。特に、文字による番組情報を詳細表示領域４４（図２）に表示すると共に、映像および音声を提示するようにしたので、ユーザが番組内容を把握しやすくなる。
【００５６】
また、番組情報ＳＩに予め含まれている各番組の代表的な場面の静止画あるいは動画を番組表に表示するようにした特許文献１とは異なり、本願発明では、現在放送中の番組から画像・音声を抽出するようにしているので、現在の放送状況をほぼ実況として番組表に盛り込むことも可能である。
【００５７】
また、地上波ディジタル放送の各チャンネルの現在放送中の映像と音声を取得する際、これと並行して番組情報ＳＩを取得するようにしたので、ＢＳ／ＣＳディジタル放送とは違ってチャンネルごとに選局・受信しなければ番組情報が取得できない地上波ディジタル放送についても、効率よく番組情報を取得することができるようになる。したがって、地上波ディジタル放送についての番組表作成の高速化が実現され、番組情報ＳＩ取得中に画面表示が滞ってユーザが視聴の中断を余儀なくされる等の事態を極力避けることができる結果、ユーザに快適な使用環境を提供することができる。
【００５８】
以上、実施の形態をあげて本発明を説明したが、本発明は上記実施の形態に限定されるものではなく、種々の変形が可能である。例えば、本発明により提示する番組表の表示形式は、図２に示した番組表ＰＧに限定されるものではない。例えば、受信可能チャンネルの中にマルチチャンネルや、データ放送が自動起動するチャンネルがある場合には、その内容がわかりやすいように、図４のように、サムネイル画像４１の領域をさらに区画してそれぞれを表示するようにしてもよい（サムネイル画像４１Ａ，４１Ｂ）。このような階層化表示は、どのような階層区分で行ってもよく、１放送局が複数チャンネルで放送を行っている場合、その放送局については図４の２００チャンネル（２００ｃｈ）に対応する領域に表示し、サムネイル画像４１Ａの領域には各チャンネルの画像を配置することも考えられる。なお、データコンテンツ（番組情報ＳＩ）については、その起動後に取得する等の工夫をしてもよい。
【００５９】
また、実施の形態の番組表ＰＧでは、現在放送中の番組とその次の番組について情報を提示するようにしたが、さらにそれ以降の番組についての情報も提示するようにしてもよい。
【００６０】
また、番組情報ＳＩの取得タイミングについては、現在放送中の番組の画像および音声を取得するときに一緒に取得するほか、その他の期間においても番組情報ＳＩのみを別途取得するようにしてもよい。特に、上記のように、現在放送中番組および次番組のみならず、それ以降の番組の番組情報まで表示させるようにする場合には、空き時間を有効に使って番組情報ＳＩを取得することが望ましい。
【００６１】
番組情報ＳＩおよびサムネイル画像・音声は、例えば以下に列挙するようなタイミングで取得するようにしてもよい。
【００６２】
（１）テレビジョン受像機に番組情報再取得用の専用ボタンを用意しておき、任意のタイミングでユーザがこのボタンを押すことにより、番組情報ＳＩおよびサムネイル画像・音声を取得させる。
【００６３】
（２）電源投入時に自動的に番組情報ＳＩおよびサムネイル画像・音声を取得する。あるいは、電源遮断操作が行われたときに、電源遮断動作に先立って自動的に番組情報ＳＩおよびサムネイル画像・音声を取得する。さらには、このような電源の投入・遮断に連動して番組情報ＳＩおよびサムネイル画像・音声を取得するか否かを、ユーザが適宜設定できるようにしてもよい。
【００６４】
（３）テレビジョン受像機がＢＳ／ＣＳ放送の受信も可能になっている場合において、地上波ディジタル放送用のチューナの使用を終了したときに、ＢＳ／ＣＳ放送の使用開始時をトリガとして、自動的に番組情報ＳＩおよびサムネイル画像・音声を取得する。
【００６５】
（４）受信可能な各チャンネルに対し、逐次的に自動的に番組情報ＳＩおよびサムネイル画像・音声を取得する。
【００６６】
（５）任意の時間間隔で定期的に番組情報ＳＩおよびサムネイル画像・音声を取得する。
【００６７】
（６）チャンネルの番組切り替わり時刻、または、切り替わり時刻から任意の時刻経過後に番組情報ＳＩおよびサムネイル画像・音声を取得する。取得タイミングを切り替わり時刻からずらすようにするのは、切り替わり時刻からコマーシャルが放送されたり、切り替わり直後に番組の解説が挿入されている場合のように、切り替わり時刻の画像・音声では番組の内容がよくわからない場合があることを配慮したものである。
【００６８】
（７）テレビジョン受像機が複数の地上波ディジタル放送用チューナを内蔵している場合や、外付けの地上波ディジタル放送用チューナを別途接続している場合には、視聴に利用していない方のチューナを用いて自動的に番組情報ＳＩおよびサムネイル画像・音声を取得する。この場合には、あるチャンネルの地上波ディジタル放送をユーザが視聴しながら、その背後で、すべての地上波ディジタル放送についての番組表を作成することもできる。なお、地上波ディジタル放送用チューナを内蔵させる場合には、図１における受信ブロック４０を複数設けるだけでよく、他の部分（サムネイル画像メモリ７，サムネイル音声メモリ１０および制御部１１等）については、複数の受信ブロック４０によって共用することができる。
【００６９】
また、番組表を提示する時点での情報取得所要時間を短縮し、より素早く番組表を提示できるようにするために、次のようにしてもよい。
【００７０】
（８）番組表の作成時点で、以前に取得した番組情報の中に、番組表に使用できる番組情報がある場合は、番組情報ＳＩを再取得するまでの間、以前に取得した番組情報を代わりに提示しておいてもよい。あるいは、以前に取得した番組情報をそのまま用いることとし、番組情報ＳＩの再取得を省略してもよい。この場合、これらの２つの方法のいずれをとるかを、既得の番組情報の取得時期（すなわち、情報の新しさまたは古さ）に応じて判断するようにしてもよい。
（９）上記２つの方法のうち、前者をとる場合、他のチャンネルの番組情報ＳＩの再取得を先に行い、本チャンネルは後回しにすることが好ましい。番組情報ＳＩの蓄積がないチャンネルを優先することで、効率よく情報取得を行うことができる。
（１０）番組情報ＳＩを再取得するチャンネルは、番組表に掲載するものとして選択されたチャンネルとすることができる。そのチャンネル選択は任意のトリガにより行うことができる。そのようなトリガは、事前にユーザが設定するようにしてもよいし、最後に視聴された（受信した）チャンネルを選択する等、テレビサービス等に一定の条件を設けることによって実現するようにしてもよい。
【００７１】
なお、番組情報ＳＩおよびサムネイル画像・音声の取得の際には、その他の取得可能な情報（例えば、ＥＩＴスケジュール、放送局のロゴ、・・・等）を同時に取得し、表示するようにしてもよい。
【００７２】
また、番組情報ＳＩおよびサムネイル画像・音声の取得が完了した場合には、取得開始前に視聴されていた（受信していた）チャンネルを再び選局し、そのチャンネルの番組が視聴されるようにしてもよい。
【図面の簡単な説明】
【００７３】
【図１】本発明の一実施の形態に係るテレビジョン受像機の構成を表すブロック図である。
【図２】図１に示したテレビジョン受像機において表示される番組表の一例を表す図である。
【図３】図１に示したテレビジョン受像機における番組表提示動作を説明するための流れ図である。
【図４】図１に示したテレビジョン受像機において表示される番組表の他の例を表す図である。
【符号の説明】
【００７４】
１…チューナ、２…分離部、３…ビデオデコーダ、４…オーディオデコーダ、５…メモリ、６…ビデオ処理部、７…サムネイル画像メモリ、８…ビデオデコーダ、９…Ｄ／Ａコンバータ、１０…サムネイル音声メモリ、１１…制御部、２０…表示部、３０…スピーカ、４１，４１Ａ，４１Ｂ…サムネイル画像、４２…（現在の番組名の）サムネイル、４３…（次の番組名の）サムネイル、４４…詳細表示領域、ＰＧ…番組表。
【図１】
2005101859.tif 000003
【図２】
2005101859.tif 000004
【図３】
2005101859.tif 000005
【図４】
2005101859.tif 000006